(57)【要約】【課題】基板が汚損した場合にも、読み取りミスを発生することなく基板情報を知ると共に、基板情報を手入力する労力を削減する。【解決手段】  本発明のエレベータ制御盤2によれば、各基板に取り付けられ、各基板のＩＤと各基板に関する基板情報とが対応して記憶されたメモリ211bと、外部から無線で送信された基板のＩＤと基板情報との読み出し要求を受信すると共に、読み出された基板の識別情報と基板情報とを無線で送信する第１の送受信装置211cと、読み出し要求に基づいて、各基板のＩＤと基板情報とをメモリから読み出す第１の制御部211dとを備えて構成する。【選択図】      図１
2005112480.tif 000002
【特許請求の範囲】
【請求項１】
複数の基板を有するエレベータ制御盤であって、
前記各基板に取り付けられ、前記各基板の識別情報と前記各基板に関する基板情報とが対応して記憶された基板情報記憶手段と、
外部から無線で送信された基板の識別情報と基板情報との読み出し要求を受信する読み出し要求受信手段と、
前記読み出し要求受信手段により受信された基板の識別情報と基板情報との読み出し要求に基づいて、前記各基板の識別情報と基板情報とを前記基板情報記憶手段から読み出す第１の基板情報読み出し手段と、
前記第1の基板情報読み出し手段により読み出された基板の識別情報と基板情報とを無線で送信する第１の無線送信手段と
を備えたエレベータ制御盤。
【請求項２】
請求項１に記載のエレベータ制御盤において、
前記エレベータ制御盤の蓋が開放されたことを検出する開放検出手段と、
前記開放検出手段により蓋が開放されたことが検出されたとき、前記基板情報記憶手段から基板の識別情報と基板情報とを読み出す第２の基板情報読み出し手段と、
前記第２の基板情報読み出し手段により読み出された基板の識別情報と基板情報とを無線で送信する第２の無線送信手段と
を備えたエレベータ制御盤。
【請求項３】
エレベータ制御盤に用いられる複数の基板を管理する基板管理システムであって、
前記各基板に取り付けられ、前記各基板の識別情報と基板情報とが対応して記憶された基板情報記憶手段と、前記基板の識別情報と基板情報との読み出し要求の入力を受け付ける入力受付手段と、前記入力受付手段により入力を受け付けた基板の識別情報と基板情報との読み出し要求に基づいて、前記基板の識別情報と基板情報とを前記基板情報記憶手段から読み出す第１の基板情報読み出し手段と、前記第１の基板情報読み出し手段により読み出された基板の識別情報と基板情報とを無線で送信する第１の無線送信手段とを備えたエレベータ制御盤と、
前記各基板のメンテナンスに関連するメンテナンス関連情報と前記各基板の識別情報とが対応して記憶されたメンテナンス関連情報記憶手段と、
前記第１の無線送信手段により送信された基板の識別情報と基板情報とを受信する無線受信手段と、
前記無線受信手段により受信された基板の識別情報に対応するメンテナンス関連情報を前記メンテナンス関連情報記憶手段から読み出すメンテナンス関連情報読み出し手段と、
前記メンテナンス関連情報読み出し手段により読み出されたメンテナンス関連情報と前記基板情報とを基板毎に対応して表示するメンテナンス関連情報表示手段と
を備えた基板管理システム。
【請求項４】
請求項３に記載の基板管理システムにおいて、
前記エレベータ制御盤は、
前記エレベータ制御盤の蓋が開放されたことを検出する開放検出手段と、
前記開放検出手段により蓋が開放されたことが検出されたとき、基板の識別情報と基板情報とを前記基板情報記憶手段から読み出す第２の基板情報読み出し手段と、
前記第２の基板情報読み出し手段により読み出された基板の識別情報と基板情報とを送信する第２の無線送信手段とを備え、
前記第２の無線送信手段により送信された基板の識別情報と基板情報とを受信したとき、外部から前記基板の識別情報に対応する基板のメンテナンス関連情報の更新入力を受け付ける更新入力受付手段と、
前記更新入力受付手段により入力を受け付けたメンテナンス関連情報を前記メンテナンス関連情報記憶手段に書込むメンテナンス関連情報書込み手段と
を更に備えた基板管理システム。
【請求項５】
エレベータ制御盤に用いられる複数の基板を管理する基板管理方法であって、
前記各基板の識別情報と基板情報との読み出し要求の入力を受け付ける入力受付工程と、
前記入力受付工程により入力を受け付けた各基板の識別情報と基板情報の読み出し要求に基づいて、前記各基板の識別情報と基板情報とを前記各基板の識別情報と基板情報とが対応して記憶された基板情報記憶手段から読み出す基板情報読み出し工程と、
前記基板情報読み出し手段により読み出した基板の識別情報と基板情報とを無線で送信する無線送信工程と、
前記無線送信工程により送信された基板の識別情報と基板情報とを受信する無線受信工程と、
前記無線受信工程により受信された基板の識別情報に対応するメンテナンス関連情報を前記各基板のメンテナンス関連情報と前記各基板の識別情報とが対応して記憶されたメンテナンス関連情報記憶手段から読み出すメンテナンス関連情報読み出し工程と、
前記メンテナンス関連情報読み出し工程により読み出されたメンテナンス関連情報と前記基板情報とを対応して表示するメンテナンス関連情報表示工程と
を含む基板管理方法。
【発明の詳細な説明】
【技術分野】
【０００１】
本発明は、複数の基板を有するエレベータ制御盤、基板管理システム、及び基板管理方法に関する。
【背景技術】
【０００２】
従来、一般的な製品を対象とした管理システムとしては、予め定められた製品管理情報に対応する部品の稼働情報、及びメンテナンス関連情報に対する支援情報を提供する装置が開示されている（特許文献１参照）。
【特許文献１】特開平１０−２２２５６８号公報
【発明の開示】
【発明が解決しようとする課題】
【０００３】
しかしながら、この種の管理手法では、一般的な製品全体を対象としたものであり、必ずしもエレベータ制御盤のように継続使用を前提とした製品だけを対象としたものではない。
【０００４】
また、この管理手法は、エレベータの制御盤に用いられた基板の管理に関して全く示唆していない。
【０００５】
本発明者の考察によれば、この管理手法を、そのままエレベータの制御盤に用いられた基板の管理に適用することは難しい。
【０００６】
本発明者の更なる考察によれば、エレベータ制御盤に用いられる基板管理にバーコードを用いる手法も考えられるが、この手法では、エレベータの制御盤内に実装された基板が汚損した場合に、エレベータ制御盤内の基板に印字されたバーコードの読み取りミスが発生する可能性がある。
【０００７】
更に、この手法では、エレベータ制御盤内における基板の実装位置によっては、基板の表面に印字されたバーコードを読み取ることが出来なくなる可能性もある。
【０００８】
また、この種の管理手法において、基板情報の読み取りミスを防止する観点から基板に印字された基板情報をオペレータが目視で確認し、確認した基板情報を手入力で入力する手法も考えられるが、前述した場合と同様に基板が汚損した場合等に読み取ることが出来ない可能性があるだけでなく、基板情報を手入力する作業に多大な労力を要するという問題がある。
【０００９】
そこで、本発明は、上記事情を考慮してなされたもので、基板が汚損した場合にも、読み取りミスを発生することなく基板情報を知ることができるだけでなく、基板情報を手入力する労力を削減することが可能なエレベータ制御盤、基板管理システム、及び基板管理方法を提供することを目的とする。
【課題を解決するための手段】
【００１０】
本発明の骨子は、基板の識別情報と基板情報とを対応付けた構成により、基板が汚損した場合にも、読み取りミスを発生することなく基板情報を知ることができるだけでなく、基板情報を手入力する労力を削減することが出来るという効果を達成することにある。
【００１１】
さて、以上のような本発明の骨子は、具体的には、以下のような手段を講じることによって実現される。
【００１２】
本発明の一態様に係るエレベータ制御盤は、複数の基板を有するエレベータ制御盤であって、各基板に取り付けられ、各基板の識別情報と各基板に関する基板情報とが対応して記憶された基板情報記憶手段と、外部から無線で送信された基板の識別情報と基板情報との読み出し要求を受信する読み出し要求受信手段と、読み出し要求受信手段により受信された基板の識別情報と基板情報との読み出し要求に基づいて、各基板の識別情報と基板情報とを基板情報記憶手段から読み出す第１の基板情報読み出し手段と、第1の基板情報読み出し手段により読み出された基板の識別情報と基板情報とを無線で送信する第１の無線送信手段とを備えた構成である。
【００１３】
このような構成とすれば、各基板に取り付けられた基板情報記憶手段から読み出された基板の識別情報と基板情報とが第１の無線送信手段により無線で送信されるので、基板が汚損した場合にも、読み取りミスを発生することなく基板情報を知ることができるだけでなく、基板情報を手入力する労力を削減することが出来る。
【００１４】
なお、上記エレベータ制御盤において、エレベータ制御盤の蓋が開放されたことを検出する開放検出手段と、開放検出手段により蓋が開放されたことが検出されたとき、基板情報記憶手段から基板の識別情報と基板情報とを読み出す第２の基板情報読み出し手段と、第２の基板情報読み出し手段により読み出された基板の識別情報と基板情報とを無線で送信する第２の無線送信手段とを備えた構成としてもよい。
【００１５】
本発明の一態様に係る基板管理システムは、エレベータ制御盤に用いられる複数の基板を管理する基板管理システムであって、各基板に取り付けられ、各基板の識別情報と基板情報とが対応して記憶された基板情報記憶手段と、基板の識別情報と基板情報との読み出し要求の入力を受け付ける入力受付手段と、入力受付手段により入力を受け付けた基板の識別情報と基板情報との読み出し要求に基づいて、基板の識別情報と基板情報とを基板情報記憶手段から読み出す第１の基板情報読み出し手段と、第１の基板情報読み出し手段により読み出された基板の識別情報と基板情報とを無線で送信する第１の無線送信手段とを備えたエレベータ制御盤と、各基板のメンテナンスに関連するメンテナンス関連情報と各基板の識別情報とが対応して記憶されたメンテナンス関連情報記憶手段と、第１の無線送信手段により送信された基板の識別情報と基板情報とを受信する無線受信手段と、無線受信手段により受信された基板の識別情報に対応するメンテナンス関連情報をメンテナンス関連情報記憶手段から読み出すメンテナンス関連情報読み出し手段と、メンテナンス関連情報読み出し手段により読み出されたメンテナンス関連情報と基板情報とを基板毎に対応して表示するメンテナンス関連情報表示手段とを備えた構成である。
【００１６】
このような構成とすれば、上述したエレベータ制御盤の発明と同様の作用を奏することが出来るのに加え、メンテナンス関連情報と基板情報とを基板毎に表示するので、エレベータ制御盤に不具合が発生する前に適切にメンテナンスを実行することが可能となる。
【００１７】
なお、上記基板管理システムにおけるエレベータ制御盤は、エレベータ制御盤の蓋が開放されたことを検出する開放検出手段と、開放検出手段により蓋が開放されたことが検出されたとき、基板の識別情報と基板情報とを基板情報記憶手段から読み出す第２の基板情報読み出し手段と、第２の基板情報読み出し手段により読み出された基板の識別情報と基板情報とを送信する第２の無線送信手段とを備え、第２の無線送信手段により送信された基板の識別情報と基板情報とを受信したとき、外部から基板の識別情報に対応する基板のメンテナンス関連情報の更新入力を受け付ける更新入力受付手段と、更新入力受付手段により入力を受け付けたメンテナンス関連情報をメンテナンス関連情報記憶手段に書込むメンテナンス関連情報書込み手段とを更に備えた構成としてもよい。
【００１８】
なお、上記の各発明は、説明の簡略化を図る観点から、それぞれ「装置」又は「システム」の発明として表現したが、これに限らず、「方法」又は「プログラム」といった他のカテゴリーの発明として表現してもよいことは言うまでもない。
【発明の効果】
【００１９】
本発明によれば、基板が汚損した場合にも、読み取りミスを発生することなく基板情報を知ることができるだけでなく、基板情報を手入力する労力を削減することが可能なエレベータ制御盤、基板管理システム、及び基板管理方法を提供出来る。
【発明を実施するための最良の形態】
【００２０】
以下、本発明の一実施の形態に係る基板管理方法を適用した基板管理システムに関し、図面を参照して説明する。
【００２１】
図１は、本発明の一実施の形態に係る基板管理システム１の全体構成例を示すブロック図である。
【００２２】
本実施の形態に係る基板管理システム１は、エレベータ制御盤２に用いられている複数の基板を遠隔管理するためのシステムである。
【００２３】
本実施の形態に係る基板管理システム１は、エレベータ制御盤２と、端末装置３と、サーバ装置４とから構成される。
【００２４】
エレベータ制御盤２は、無線ＩＣタグ２１１〜２１ｎが取り付けられた複数の基板２１Ａ〜２１Ｎと、これら無線ＩＣタグ２１１〜２１ｎと無線により通信可能な送受信ユニット２２と、これら無線ＩＣタグ２１１〜２１ｎにそれぞれ個別に接続された開放検出部２３１〜２３ｎとを具備している。
【００２５】
なお、本実施の形態に係る基板管理システム１の説明においては、説明の簡略化を図る観点から、１枚目の基板２１Ａに取り付けられた無線ＩＣタグ２１１に関してのみ説明を行うが、他の基板２１Ｂ〜２１Ｎに取り付けられた無線ＩＣタグ２１２〜２１ｎに関しても同様の構成を具備していることはいうまでもない。
【００２６】
また、以下の説明に関し、無線ＩＣタグに接続されたそれぞれの開放検出部２３１〜２３ｎに関しても同様の観点から１枚目の基板に接続された開放検出部２３１に関してのみ説明を行うが、他の開放検出部２３２〜２３ｎに関しても同様の構成及び機能を有していることはいうまでもない。
【００２７】
無線ＩＣタグ２１１は、同一のバス線２１ａに接続されたメモリ２１ｂと、第１の送受信装置２１ｃと、第１の制御部２１ｄと、電源装置２１ｅと、Ｉ／Ｏ部２１ｆとを具備している。
【００２８】
送受信ユニット２２は、第２の送受信装置２２Ａと磁界発生装置２２Ｂとを具備している。
【００２９】
端末装置３は、データ入力部３１と、第２の制御部３２と、送受信部３３と、表示部３４とを具備している。
【００３０】
サーバ装置４は、メンテナンス関連情報ＤＢ４１と、ＤＢＭＳ部４２とを具備している。
【００３１】
バス線２１１ａは、無線ＩＣタグ内２１１内でデータをやり取りするための共通路である。
【００３２】
メモリ２１１ｂには、基板のＩＤと基板情報とが記憶されている。
【００３３】
図２は、本実施の形態に係るエレベータ制御盤２内のメモリ２１１ｂ〜２１ｎｂに記憶されるデータの一例を示す図である。
【００３４】
本実施の形態に係るメモリには、図２に示すように、基板のＩＤ（ａ１）と、基板名称（ａ２）と、基板型式（ａ３）と、レビジョン（ａ４）と、基板の製造番号（ａ５）とが記憶されている。
【００３５】
ここで、レビジョンとは、版の変更回数のことを意味する。
【００３６】
なお、本実施の形態に係るメモリ２１１ｂ〜２１ｎｂには、基板に対して実行された試験番号及び図面番号を基板情報として付加してもよい。
【００３７】
また、本実施の形態に係るメモリ２１１ｂ〜２１ｎｂは、記憶された基板情報を書換え可能なメモリを用いてもよい。
【００３８】
第１の送受信装置２１１ｃは、送受信ユニット２２から無線で送信された基板のＩＤと基板情報との読み出し要求を受信し、受信した読み出し要求を第１の制御部２１１ｄに出力する機能と、第１の制御部２１１ｄから出力された基板のＩＤと基板情報とを送受信ユニット２２に送信する機能とを有する。
【００３９】
第１の制御部２１１ｄは、第１の送受信装置２１１ｃから出力された基板のＩＤと基板情報との読み出し要求を受け取った場合、又はＩ／Ｏ部２１１ｆから出力された検出信号を受け取った場合に、メモリ２１１ｂから基板のＩＤと基板情報とを読み出し、読み出した基板のＩＤと基板情報とを第１の送受信装置２１１ｃに出力する機能を有する。
【００４０】
なお、本実施の形態に係る第１の制御部２１１ｄには、後述する端末装置３から入力された基板情報をメモリに更新記憶させる機能を付加してもよい。
【００４１】
電源装置２１１ｅは、磁界発生装置２２Ｂの発生する鎖交磁束によって発生した誘導起電力を電力として無線ＩＣタグ２１１内に供給する。
【００４２】
Ｉ／Ｏ部２１１ｆは、無線ＩＣタグ２１１の外部の開放検出部２３１から出力されたエレベータ制御盤２の蓋が開放されたことを示す検出信号を第１の制御部２１１ｄに出力する機能を有する。
【００４３】
第２の送受信装置２２Ａは、端末装置３から送信された基板のＩＤと基板情報との読み出し要求を受信し、受信した基板のＩＤと基板情報との読み出し要求を無線ＩＣタグ２１１に送信する機能と、無線ＩＣタグ２１１から送信された基板のＩＤと基板情報とを受信し、受信した基板のＩＤと基板情報とを端末装置３に送信する機能と、端末装置３から送信された基板のＩＤと基板情報との読み出し要求を受信したとき、磁界発生装置２２Ｂに基板のＩＤと基板情報の読み出し実行時間よりも長い所定時間だけ磁界を発生させるための磁界発生指令を磁界発生装置２２Ｂに出力する機能とを有する。
【００４４】
磁界発生装置２２Ｂは、第２の送受信装置２２Ａから出力された磁界発生指令を受け取り、基板のＩＤと基板情報の読み出しの実行時間よりも長い所定時間だけ磁界を発生する。
【００４５】
なお、本実施の形態に係る磁界発生装置２２Ｂは、第２の送受信装置２２Ａから出力された磁界発生指令により基板のＩＤと基板情報の読み出しの実行時間よりも長い所定時間だけ磁界を発生するよう制御されていたが、これに限らず、第２の送受信装置２２Ａとは無関係に独立して常時磁界を発生する装置に変更してもよい。
【００４６】
開放検出部２３１は、エレベータ制御盤２の蓋が開放されたことを検出する機能と、蓋が開放されたことが検出されたとき、蓋が開放されたことを示す検出信号をＩ／Ｏ部２１ｆを介して無線ＩＣタグ２１１内の第１の制御部２１１ｄに出力する機能とを有する。
【００４７】
データ入力部３１は、主として操作者の操作により入力された基板のＩＤと基板情報の読み出し要求を受け付ける機能と、入力を受け付けた基板のＩＤと基板情報との読み出し要求を第２の制御部３２に出力する機能と、操作者の操作により入力されたメンテナンス関連情報の送信要求を受け付ける機能と、入力を受け付けたメンテナンス関連情報の送信要求と基板のＩＤと基板情報とを第２の制御部３２に出力する機能とを有する。
【００４８】
第２の制御部３２は、データ入力部３１から出力された基板のＩＤと基板情報との読み出し要求を送受信部３３に出力する機能と、基板のＩＤと基板情報とを対応して表示部３４に表示させる機能と、データ入力３１部から出力されたメンテナンス関連情報の送信要求と基板のＩＤと基板情報とを送受信部３３に出力する機能と、送受信部３３から出力されたメンテナンス関連情報と基板情報とを基板毎に対応させて表示部３４に表示させる機能とを有する。
【００４９】
なお、本実施の形態の第２の制御部３２には、開放検出部２３１によりエレベータ制御盤２の蓋が開放されたことが検出されたとき、メンテナンス関連情報の更新入力を促す機能と、データ入力部３１から入力されたメンテナンス関連情報の更新要求とメンテナンス関連情報との入力を受け付ける機能（更新入力受付手段）とを付加してもよい。
【００５０】
送受信部３３は、第２の制御部３２から出力された基板のＩＤと基板情報との読み出し要求を通信ネットワークを介して接続されたエレベータ制御盤２に送信する機能と、エレベータ制御盤２から送信された基板のＩＤと基板情報とをサーバ装置４に転送する機能と、サーバ装置４から送信されたメンテナンス関連情報と基板情報と基板のＩＤとを第２の制御部３２に出力する機能とを有する。
【００５１】
なお、本実施の形態に係る送受信部３３には、開放検出部２３１によりエレベータ制御盤２の蓋が開放されたことが検出されたとき、データ入力部３１から入力されたメンテナンス関連情報の更新要求とメンテナンス関連情報と基板のＩＤとの入力を受け付ける機能（更新入力受付手段）とを付加してもよい。
【００５２】
表示部３４は、第２の制御部３２から出力された基板のＩＤと基板情報とを対応して表示する機能と、第２の制御部３２から出力されたメンテナンス関連情報と基板情報とを基板毎に表示する機能とを有する。
【００５３】
メンテナンス関連情報ＤＢ４１には、基板のＩＤと基板のメンテナンスに関連するメンテナンス関連情報とが対応して記憶されている。
【００５４】
なお、本明細書に記載のメンテナンス関連情報としては、例えば現場建物名、据付日、機種名、号機番号、エレベータ制御盤の型式、モータ容量、及び現場地図情報等が挙げられる。
【００５５】
図３は、本実施の形態に係るメンテナンス関連情報ＤＢ４１のデータ構成の一例を示す模式図である。
【００５６】
本実施の形態に係るメンテナンス関連情報ＤＢ４１には、基板のＩＤ（ｂ１）、現場建物名（ｂ２）、据付日（ｂ３）、機種名（ｂ４）、号機番号（ｂ５）、エレベータ制御盤の型式（ｂ６）、モータ容量（ｂ７）、及び現場地図情報（ｂ８）が対応して記憶されている。
【００５７】
なお、本実施の形態に係るメンテナンス関連情報ＤＢ４２には、基板の生産日、基板の出荷日、試験日、基板に実装された部品のリユースの受付日、基板に実装された部品の交換日、及び基板の破棄日等を更に、基板のＩＤと対応させて記憶させてもよい。
【００５８】
ＤＢＭＳ部４２は、端末装置３から送信されたメンテナンス関連情報の送信要求と基板のＩＤと基板情報とを受信し、基板のＩＤを主キーとして、この主キーに対応するメンテナンス関連情報をメンテナンス関連情報ＤＢ４１から読み出す機能と、メンテナンス関連情報と基板情報と基板のＩＤとを端末装置３に送信する機能とを有する。
【００５９】
なお、本実施の形態に係るＤＢＭＳ部４２には、前述したデータ入力部３１から入力されたメンテナンス関連情報の更新要求と更新入力されたメンテナンス関連情報と基板のＩＤとを受信し、受信したメンテナンス関連情報をメンテナンス関連情報ＤＢ４２に基板のＩＤに対応させて書込む機能（メンテナンス関連情報書込み手段）を付加してもよい。
【００６０】
次に、以上のように構成された基板管理システム１の動作に関し、図４を参照して説明する。
【００６１】
なお、以下の動作の説明においては、無線ＩＣタグ２１１〜２１ｎ内のメモリ２１１ｂには、基板のＩＤと基板情報とが基板の製造時又は基板のエレベータ制御盤への実装時に予め書込まれているものとする。
【００６２】
また、メンテナンス関連情報ＤＢ４１には、端末装置３のデータ入力部３１から操作者の操作により入力されたメンテナンス関連情報と基板のＩＤとが対応して記憶されているものとする。
【００６３】
更に、以下の説明では、開放検出部２３１によりエレベータ制御盤の蓋が開放されたことが検出された場合に関しても同様に動作するので、説明の重複を回避する観点から、端末装置３から基板のＩＤと基板情報との読み出し要求が入力された場合に関してのみ説明するものとする。
【００６４】
始めに、第２の制御部３２は、データ入力部３１から主として操作者の操作により入力された各基板のＩＤと基板情報との読み出し要求の入力を受け付ける（ＳＴ１：入力受付工程）。
【００６５】
次に、第２の制御部３２は、入力された基板のＩＤと基板情報との読み出し要求を送受信部３３を介してエレベータ制御盤に送信する（ＳＴ２）。
【００６６】
次に、第２の送受信装置２２Ａは、端末装置３３から送信された基板のＩＤと基板情報との読み出し要求を受信する（ＳＴ３）。
【００６７】
次に、第２の送受信装置２２Ａは、基板情報の読み出し実行時間よりも長い所定時間だけ磁界を発生するように磁界発生指令を磁界発生装置２２Ｂに出力する（ＳＴ４）。
【００６８】
次に、第２の送受信装置２２Ａは、受信した基板のＩＤと基板情報との読み出し要求を基板に取り付けられた無線ＩＣタグに無線で送信する（ＳＴ５）。
【００６９】
次に、第１の送受信装置２１１ｃは、送受信ユニット２２から無線で送信された基板のＩＤと基板情報との読み出し要求を受信する（ＳＴ６）。
【００７０】
次に、第１の送受信装置２１１ｃは、受信した基板のＩＤと基板情報との読み出し要求を第１の制御部２１１ｄに出力する（ＳＴ７）。
【００７１】
次に、第１の制御部２１１ｄは、第１の送受信装置２１１ｃから出力された基板のＩＤと基板情報の読み出し要求を受け取り、基板のＩＤと基板情報とを、基板のＩＤと基板情報とが対応して記憶されたメモリから読み出す（ＳＴ８：基板情報読み出し工程）。
【００７２】
なお、上述した工程ＳＴ１〜工程ＳＴ８の説明では、端末装置３から入力された基板のＩＤと基板情報との読み出し要求が入力された場合に関し説明したが、開放検出部２３１によりエレベータ制御盤２の蓋が開放されたことを検出した場合には、第１の制御部２１１ｄは、Ｉ／Ｏ部２１１ｆを介して開放検出部２３１から出力された検出信号を受信し、メモリに記憶された基板のＩＤと基板情報とを読み出すものとする。
【００７３】
工程ＳＴ９では、第１の制御部２１１ｄは、読み出した基板のＩＤと基板情報とを第１の送受信装置２１１ｃに出力する。
【００７４】
次に、第１の送受信装置２１１ｃは、第１の制御部２１１ｄから出力された基板のＩＤと基板情報とを送受信ユニット２２に無線で送信する（ＳＴ１０：無線送信工程）。
【００７５】
次に、第２の送受信装置２２Ａは、無線ＩＣタグ２１１から無線で送信された基板のＩＤと基板情報とを受信する（ＳＴ１１：無線受信工程）。
【００７６】
次に、第２の送受信装置２２Ａは、受信した基板のＩＤと基板情報とを端末装置３に送信する（ＳＴ１２）。
【００７７】
第２の制御部３２は、エレベータ制御盤２から送信された基板のＩＤと基板情報とを送受信部３３を介して受信する（ＳＴ１３）。
【００７８】
次に、第２の制御部３２は、表示部３４に基板のＩＤと基板情報とを表示する（ＳＴ１４）。
【００７９】
次に、第２の制御部３２は、データ入力部３１から操作者の操作により入力されたメンテナンス関連情報の送信要求とエレベータ制御盤２から送信された基板のＩＤと基板情報とをサーバ装置４に送信する（ＳＴ１５）。
【００８０】
なお、上述した説明では、端末装置３から基板のＩＤと基板情報の読み出し要求が入力された場合に、メンテナンス関連情報の送信要求と基板のＩＤと基板情報とをサーバ装置４に送信したが、エレベータ制御盤２の蓋が開放されていることを検出した場合には、端末装置３の第２の制御部３２は、メンテナンス関連情報とメンテナンス関連情報の更新要求と基板のＩＤとの入力を受け付け、受け付けたメンテナンス関連情報とメンテナンス関連情報の更新要求と基板のＩＤとを送受信部３３を介してサーバ装置４に送信するものとする。
【００８１】
工程ＳＴ１６では、ＤＢＭＳ部４２は、端末装置３から送信されたメンテナンス関連情報の送信要求と基板のＩＤと基板情報とを受信する（ＳＴ１６）。
【００８２】
次に、ＤＢＭＳ部４２は、受信した基板のＩＤを主キーとして対応するメンテナンス関連情報を各基板のメンテナンス関連情報と各基板のＩＤとが対応して記憶されたメンテナンス関連情報ＤＢ４１から読み出す（ＳＴ１７：メンテナンス関連情報読み出し工程）。
【００８３】
次に、ＤＢＭＳ部４２は、基板のＩＤと基板情報と読み出したメンテナンス関連情報とを端末装置３に送信する（ＳＴ１８）。
【００８４】
次に、第２の制御部３２は、サーバ装置４から送信された基板のＩＤと基板情報とメンテナンス関連情報とを送受信部３３を介して受信する（ＳＴ１９）。
【００８５】
次に、第２の制御部３２は、基板情報とメンテナンス関連情報とを基板毎に対応して表示部３４に表示させる（ＳＴ２０）。
【００８６】
これにより、表示部３４は、メンテナンス関連情報と前記基板情報とを基板毎に対応して表示する（メンテナンス関連情報表示工程）。
【００８７】
以上のような一連の動作により、基板管理システム１は動作を終了する。
【００８８】
なお、上述した説明では、端末装置３から基板のＩＤと基板情報の読み出し要求が入力された場合に、サーバ装置４は、メンテナンス関連情報と基板のＩＤと基板情報とを端末装置３に送信したが、エレベータ制御盤２の蓋が開放されていることを検出した場合には、サーバ装置４のＤＢＭＳ部４２は、端末装置３から送信されたメンテナンス関連情報の更新要求とメンテナンス関連情報と基板のＩＤとを受信し、メンテナンス関連情報ＤＢ４１に基板のＩＤに対応して記憶されたメンテナンス関連情報を入力されたメンテナンス関連情報に更新記憶させるものとする。
【００８９】
上述したように本実施の形態によれば、エレベータ制御盤２内の送受信ユニット２２と無線ＩＣタグ２１１〜２１ｎとの間で基板のＩＤと基板情報とが無線により送信されるので、基板が汚損した場合にも、読み取りミスを発生することなく基板情報を知ることができるだけでなく、基板情報を手入力する労力を削減することが出来る。
【００９０】
本実施の形態によれば、エレベータ制御盤に実装された基板内の無線ＩＣタグ内のメモリに記憶された基板情報の更新に関し、直接現地で作業することなく、遠隔操作で作業することが出来る。
【００９１】
本実施の形態によれば、基板のＩＤと基板情報の読み出し時に、磁界発生装置２２Ｂが発生した磁界が電源装置２１１ｅに鎖交した場合だけ無線ＩＣタグ２１１〜２１ｎ内に電力が供給されるので、無線ＩＣタグ内に常時電力を供給する電源を備えた場合と比較して消費電力を抑えることが出来る。
【００９２】
本実施の形態によれば、エレベータ制御盤２内で基板のＩＤと基板情報とが無線ＩＣタグ２１１〜２１ｎにより無線で送信されるため、基板のＩＤ等の手入力を行う必要がなくなるので、基板のＩＤ等の手入力に要していた作業時間を短縮することが可能となる。
【００９３】
なお、この発明は、上記一実施の形態そのままに限定されるものではなく、実施段階ではその要旨を逸脱しない範囲で構成要素を変形して具体化出来る。例えば本実施の形態の端末装置３及びサーバ装置４に代えて、エレベータ制御盤２内の送受信ユニット２２と監視センタとを電話回線で接続し、かつ、電話回線を用いて監視センタで監視することが可能なデータ転送用のエレベータ遠隔監視端末を用いてもよい。また、端末装置３側又はサーバ装置４側で基板の生産日から所定の期間を経過した基板を抽出し、抽出した基板の情報をメンテナンスが必要な基板として端末装置３の表示部３４に表示させるようにしてもよい。更に、上記一実施の形態に開示されている複数の構成要素の適宜な組み合せにより種々の発明を形成出来る。例えば、実施の形態に示される全構成要素から幾つかの構成要素を削除してもよい。例えば本実施の形態のエレベータ制御盤２内の開放検出部２３１〜２３ｎは、設けない構成に変更することも可能である。
【図面の簡単な説明】
【００９４】
【図１】本発明の一実施の形態に係る基板管理システム１の全体構成例を示すブロック図。
【図２】本実施の形態に係るエレベータ制御盤２内のメモリ２１１ｂ〜２１ｎｂに記憶されるデータの一例を示す図。
【図３】本実施の形態に係るメンテナンス関連情報ＤＢ４１のデータ構成の一例を示す模式図。
【図４】本実施の形態に係る基板管理システムの動作に関し、説明するためのフローチャート。
【符号の説明】
【００９５】
１…基板管理システム、２…エレベータ制御盤、２１Ａ〜２１Ｎ…基板、２１１〜２１ｎ…無線ＩＣタグ、２１１ａ〜２１ｎａ…バス線、２１１ｂ〜２１ｎｂ…メモリ、２１１ｃ〜２１ｎｃ…第１の送受信装置、２１１ｄ〜２１ｎｄ…第１の制御部、２１１ｅ〜２１ｎｅ…電源装置、２１１ｆ〜２１ｎf…Ｉ／Ｏ部、２２…送受信ユニット、２２Ａ…第２の送受信装置、２２Ｂ…磁界発生装置、
２３１〜２３ｎ…開放検出部、３…端末装置、３１…データ入力部、３２…第２の制御部、３３…送受信部、４…サーバ装置、４１…メンテナンス関連情報ＤＢ、４２…ＤＢＭＳ部
【図１】
2005112480.tif 000003
【図２】
2005112480.tif 000004
【図３】
2005112480.tif 000005
【図４】
2005112480.tif 000006